【手続補正書】
【提出日】平成20年2月15日(2008.2.15)
【手続補正１】
【補正対象書類名】特許請求の範囲
【補正対象項目名】全文
【補正方法】変更
【補正の内容】
【特許請求の範囲】
【請求項１】
記録媒体に未定着画像を形成する画像形成手段と、加熱部材と加圧部材によって形成されるニップで前記画像形成手段側から導入された記録媒体を挟持搬送することで未定着画像を定着させる定着装置と、前記画像形成手段を駆動する第１モータと、前記定着装置を駆動する第２モータと、を有する画像形成装置において、
前記第１モータの動力はクラッチ機構を介して前記定着装置にも伝達可能となっており、前記定着装置は前記第１モータの動力で起動され、その後、前記第１モータから前記定着装置への動力が前記クラッチ機構により遮断されて前記定着装置は前記第２モータの動力で駆動されて定着処理を行うことを特徴とする画像形成装置。
【請求項２】
前記第１モータからの動力による前記定着装置の回転速度が、前記第２モータからの動力による前記定着装置の回転速度に比べ低く設定されていることを特徴とする請求項１に記載の画像形成装置。
【請求項３】
前記定着装置の温度を検出する温度検出手段と、該温度検出手段の情報に基づいて前記定着装置を制御温度に温度制御する制御手段と、と有し、前記第１モータの動力による前記定着装置駆動時の第１制御温度が、前記第２モータの動力による前記定着装置駆動時の第２制御温度より低く設定されていることを特徴とする請求項２に記載の画像形成装置。
【手続補正２】
【補正対象書類名】明細書
【補正対象項目名】００１２
【補正方法】変更
【補正の内容】
【００１２】
上記目的を達成するための本発明に係る画像形成装置の代表的な構成は、記録媒体に未定着画像を形成する画像形成手段と、加熱部材と加圧部材によって形成されるニップで前記画像形成手段側から導入された記録媒体を挟持搬送することで未定着画像を定着させる定着装置と、前記画像形成手段を駆動する第１モータと、前記定着装置を駆動する第２モータと、を有する画像形成装置において、前記第１モータの動力はクラッチ機構を介して前記定着装置にも伝達可能となっており、前記定着装置は前記第１モータの動力で起動され、その後、前記第１モータから前記定着装置への動力が前記クラッチ機構により遮断されて前記定着装置は前記第２モータの動力で駆動されて定着処理を行うことを特徴とする画像形成装置、である。
【手続補正３】
【補正対象書類名】明細書
【補正対象項目名】００１３
【補正方法】変更
【補正の内容】
【００１３】
上記の画像形成装置構成にすることにより、定着装置を駆動する第２モータを選定するにあたり、安価で小型のモータを選択することが可能となり、コンパクトで安価な画像形成装置を提供することが可能となる。すなわち、定着装置を駆動する第２モータを選定するにあたり、定着温調起動時の比較的大きなトルクを見越した余裕のある大きな出力を有するモータを選定することなく、適正な出力のより安価で小型のモータを採用可能となり、コンパクトで安価な画像形成装置を提供することが可能となる。
【手続補正４】
【補正対象書類名】明細書
【補正対象項目名】００１７
【補正方法】変更
【補正の内容】
【００１７】
感光ドラム４０１は、図１において矢印Ａの時計方向に所定の速度で回転駆動されて、帯電ローラ４０２により表面が所定の極性・電位に一様に帯電処理される。その感光ドラム４０１の帯電処理面に対してレーザースキャナーユニット５００によりレーザー走査露光Ｌがなされる。レーザースキャナーユニット５００はホストコンピュータ（不図示）から送られた画像情報の電気デジタル画素信号に対応して変調したレーザー光を出力して感光ドラム４０１の帯電処理面を走査露光する。これにより走査露光した画像情報パターンに対応した静電潜像が形成される。次いでその静電潜像が現像装置４０３の現像ローラ４０３ａでトナー画像として現像される。
【手続補正５】
【補正対象書類名】明細書
【補正対象項目名】００１９
【補正方法】変更
【補正の内容】
【００１９】
その記録紙Ｓは搬送ローラ対１０７（１０７ａは駆動側ローラ、１０７ｂはピンチコロ）で中継ぎ搬送されてレジストローラ対１０８（１０８ａは駆動側ローラ、１０８ｂはピンチコロ）に至る。レジストローラ対１０８は、回転停止状態においてニップ部で記録紙Ｓの先端を一旦受け止めることで記録紙の斜行を矯正する。その後所定の制御タイミングで回転駆動されることで、記録紙Ｓを感光ドラム４０１と転写ローラ６０１との接触部である転写ニップ部Ｔに搬送導入する。ＳＷ１はレジストセンサであり、レジストローラ対１０８で搬送された記録紙Ｓの先端部通過を検知する。記録紙Ｓは該転写ニップ部Ｔで挟持搬送されて、その間転写ローラ６０１に転写バイアス電源（不図示）からトナーの帯電極性とは逆極性の所定電位の転写バイアスが印加される。これにより、記録紙Ｓの面に感光ドラム４０１側のトナー画像が順次に静電転写されていく。
以上が、記録媒体に未定着画像を形成する画像形成手段である。
【手続補正６】
【補正対象書類名】明細書
【補正対象項目名】００２０
【補正方法】変更
【補正の内容】
【００２０】
トナー画像（未定着画像）の転写を受けた記録紙Ｓは転写ニップ部Ｔを出ると感光ドラム４０１面から分離されて搬送路６０２を通って定着装置としての定着ユニット７００に導入される。定着ユニット７００は後述するように定着ニップ部Ｎで記録紙Ｓを挟持搬送して未定着トナー画像を記録紙Ｓ面に固着画像として加熱加圧定着（定着処理）する。
【手続補正７】
【補正対象書類名】明細書
【補正対象項目名】００２３
【補正方法】変更
【補正の内容】
【００２３】
（２）定着ユニット７００
図３は定着ユニット７００の拡大横断面模型図である。この定着ユニット７００が、加熱部材と加圧部材によって形成されるニップで前記画像形成手段側から導入された記録媒体を挟持搬送することで未定着画像を定着させる定着装置である。本実施例における定着ユニット７００は、特開平４−４４０７５〜４４０８３号公報、特開平４−２０４９８０〜２０４９８４号公報等に開示の、加圧部材駆動式・テンションレスタイプのフィルム加熱方式の加熱装置である。
【手続補正８】
【補正対象書類名】明細書
【補正対象項目名】００６９
【補正方法】変更
【補正の内容】
【００６９】
制御手段部４０は、その記録紙Ｓの先端部がレジストローラ対１０８の記録紙搬送方向下流側に位置するレジストセンサＳＷ１で検知された信号に基づいて、記録紙Ｓの先端位置と露光光源であるレーザースキャナ５００の発光タイミングを同期させ、感光ドラム４０１上のトナー画像が記録紙Ｓ上の所定位置に対応するように、感光ドラム４０１に対する画像の描き出しをする。
【手続補正９】
【補正対象書類名】明細書
【補正対象項目名】００８４
【補正方法】変更
【補正の内容】
【００８４】
制御手段部４０は、二面目に未定着トナー画像を転写した前記記録紙Ｓが定着ユニット７００に到達する前に、再度第２モータ２を反転駆動（図６に示す矢印Ｂ方向）する。これにより、定着ユニット７００に搬送された記録紙Ｓ上の未定着トナー画像は片面画像定着時と同様に定着ユニット７００のフィルムユニット７０１、加圧ローラ７０２のニップＮ間で加熱・加圧されることにより固定画像となり、中間排紙ローラ対８０１を経て、排紙ローラ対８０２により装置外のトレイ８０３上に排出、積載される。